(57)【要約】【課題】電力を必要とせず、安定して加圧された乾燥空気をアンテナ給電部等に充填することのできる装置を提供する。【解決手段】筐体１と、筐体１内を上下方向に移動し、筐体１の内面との間で機密性の空気室１ｂを形成する移動体１ａと、移動体１ａが所定の位置より低い位置に達すると、移動体１ａを上方に移動させる移動手段４、１０と、空気室１ｂ内の空気を乾燥させるための乾燥剤３と、空気室１ｂ内の乾燥空気の圧力が外気の圧力より小さい場合に、空気室１ｂに外気を導入する吸気弁６と、空気室１ｂ内の乾燥空気の圧力が外気の圧力より大きい場合に、空気室１ｂ内の乾燥空気を外部に排出する排気弁５とを備える乾燥空気充填装置。移動体１ａを、内部に水を収容する水タンクとし、移動手段を、水タンクを上方に付勢する付勢手段４と、水タンクから外部に水を排水する排水口１ｃを開放するトリガー手段９、１０とすることができる。【選択図】  図１
2004187128.tif 000002
【特許請求の範囲】
【請求項１】
筐体と、
該筐体内を上下方向に移動し、前記筐体の内面との間で機密性の空気室を形成する移動体と、
該移動体が所定の位置より低い位置に達すると、該移動体を上方に移動させる移動手段と、
前記空気室内の空気を乾燥させるための乾燥剤と、
前記空気室内の乾燥空気の圧力が外気の圧力より小さい場合に、前記空気室に外気を導入する吸気弁と、
前記空気室内の乾燥空気の圧力が外気の圧力より大きい場合に、前記空気室内の乾燥空気を外部に排出する排気弁とを備えることを特徴とする乾燥空気充填装置。
【請求項２】
前記移動体は、内部に水を収容する水タンクであって、
前記移動手段は、前記水タンクを上方に付勢する付勢手段と、前記水タンクが所定の位置より低い位置に達すると、前記水タンクから外部に水を排水する排水口を開放するトリガー手段とを備えることを特徴とする請求項１記載の乾燥空気充填装置。
【請求項３】
前記トリガー手段は、前記水タンクの前記排水口を開閉する栓と、前記筐体の一部との間に張設されたワイヤであることを特徴とする請求項１または２記載の乾燥空気充填装置。
【発明の詳細な説明】
【０００１】
【発明の属する技術分野】
本発明は、乾燥空気充填装置に関し、特に、マイクロ波帯以上の周波数を利用する通信設備のアンテナ給電部並びに給電線等に加圧された乾燥空気を供給する装置に関する。
【０００２】
【従来の技術】
マイクロ波帯以上の周波数を利用する通信設備のアンテナ給電器等には、導波管が利用されている。導波管の内部に湿度の高い空気が侵入すると、水滴または発錆により管内を伝搬する電波の特性が劣化する。室内に設置された導波管についてはこのような事態は生じないが、屋外の導波管については風雨に晒されるため、接合部の隙間から湿度の高い外気が浸入する。
【０００３】
完全に導波管回路を密閉することは困難であることと、導波管と空気とで膨張率が異なるため、急激に外気温度が変化した場合には、導波管内の気圧が屋外の気圧より低くなり、湿度の高い外気を吸収する。このような状態を回避するため、屋外の導波管には加圧された乾燥空気が充填される。
【０００４】
図３は、従来の乾燥空気充填装置の一例を示し、この乾燥空気充填装置５０は、室内の導波管４１の送信機４２の出力側に、アンテナ給電器４６を含む屋外の導波管４１を一つの密閉体にするための仕切板４３が装着され、加圧された乾燥空気は、ガスインレット４５を介して屋外の導波管４１内に充填される。加圧の状態は、もう一つのガスインレット４４より一部の空気を取り出すことにより、圧力メーター５６によって監視される。
【０００５】
この乾燥空気充填装置５０は、空調設備を備え、除湿された部屋に設置され、屋外の導波管４１内の空気が漏れ、圧力が低下すると、圧力検出器５４がバルブ５３に空気弁開の制御信号を送出するとともに、ポンプ５１に圧縮空気吸入の制御信号を送る。すると、電源５５から給電されたポンプ５１によって圧縮空気が生成され、圧縮空気は、乾燥タンク５２を通して屋外の導波管４１に充填される。屋外の導波管４１内の圧力が上昇すると、圧力検出器５４から送出される空気弁開及び圧縮空気吸入の制御信号がオープンとなり、圧縮空気の充填は停止される。そして、再び屋外の導波管４１内の空気が漏れて気圧が下がると、同様の動作を繰り返す。
【０００６】
【発明が解決しようとする課題】
しかし、上記従来の乾燥空気充填装置においては、ポンプ５１、バルブ５３、圧力検出器５４等の電動部品を必要とするため、通信機器の小型化、省電力化に伴い、乾燥空気充填装置に供給される電力の割合が通信機器に対して大きくなってきている。また、世界の僻地に点在する中継所においては、安定した電源が得られないため、電源は太陽電池で賄われており、電源供給の優先度の低い乾燥空気充填装置の省電力化は、従来の課題であった。
【０００７】
そこで、本発明は、上記従来の乾燥空気充填装置における問題点に鑑みてなされたものであって、電力を必要とせず、安定して加圧された乾燥空気をアンテナ給電部等に充填することのできる装置を提供することを目的とする。
【０００８】
【課題を解決するための手段】
上記目的を達成するため、請求項１記載の発明は、乾燥空気充填装置であって、筐体と、該筐体内を上下方向に移動し、前記筐体の内面との間で機密性の空気室を形成する移動体と、該移動体が所定の位置より低い位置に達すると、該移動体を上方に移動させる移動手段と、前記空気室内の空気を乾燥させるための乾燥剤と、前記空気室内の乾燥空気の圧力が外気の圧力より小さい場合に、前記空気室に外気を導入する吸気弁と、前記空気室内の乾燥空気の圧力が外気の圧力より大きい場合に、前記空気室内の乾燥空気を外部に排出する排気弁とを備えることを特徴とする。
【０００９】
そして、請求項１記載の発明によれば、筐体内を上下方向に移動する移動体と筐体の内面との間で機密性の空気室を形成し、乾燥剤で空気室内の空気を乾燥させ、移動体が所定の位置より低い位置に達すると、移動手段によって移動体を上方に移動させることにより、空気室内の乾燥空気の圧力が外気の圧力より小さい場合には、吸気弁より空気室に外気を導入し、空気室内の乾燥空気の圧力が外気の圧力より大きい場合には、排気弁により空気室内の乾燥空気を外部に排出することができるため、電力を必要とせず、安定して加圧された乾燥空気を外部の装置に充填することができる。
【００１０】
請求項２記載の発明は、請求項１記載の乾燥空気充填装置において、前記移動体は、内部に水を収容する水タンクであって、前記移動手段は、前記水タンクを上方に付勢する付勢手段と、前記水タンクが所定の位置より低い位置に達すると、前記水タンクから外部に水を排水する排水口を開放するトリガー手段とを備えることを特徴とする。
【００１１】
請求項２記載の発明によれば、水タンクが所定の位置より低い位置に達すると、トリガー手段によって水タンクの排水口から外部に水が排水されて水タンクが軽くなるため、付勢手段によって水タンクが上方に移動する。これによって、上述の吸気弁から空気室への外気の導入、及び排気弁による空気室内の乾燥空気の外部への排出を繰り返すことができ、電力を必要とせず、安定して加圧された乾燥空気を外部の装置に充填することが可能となる。
【００１２】
請求項３記載の発明は、請求項１または２記載の乾燥空気充填装置において、前記トリガー手段は、前記水タンクの前記排水口を開閉する栓と、前記筐体の一部との間に張設されたワイヤであることを特徴とする。
【００１３】
請求項３記載の発明によれば、水タンクが所定の位置より低い位置に達すると、前記水タンクの前記排水口を開閉する栓と、前記筐体の一部との間の距離が所定の距離以上となるため、ワイヤによって排水口の栓が開放され、水タンクの排水口から外部に水が排水され、水タンクが軽くなり、付勢手段によって水タンクが上方に移動する。これにより、吸気弁からの外気の導入と、排気弁による乾燥空気の外部への排出が繰り返され、電力を必要とせず、安定して加圧された乾燥空気を外部の装置に充填することが可能となる。
【００１４】
【発明の実施の形態】
次に、本発明にかかる乾燥空気充填装置の実施の形態の具体例を図面を参照しながら説明する。
【００１５】
図１は、本発明にかかる乾燥空気充填装置の一実施の形態を示し、この乾燥空気充填装置は、大別して、筐体１と、筐体１内を上下方向に移動し、筐体１の内面との間で機密性の空気室１ｂを形成する移動体としての水タンク１ａと、水タンク１ａが所定の位置より低い位置に達すると、水タンク１ａを上方に移動させる移動手段としてのばね（付勢手段）４、ワイヤ１０等と、空気室１ｂ内の空気を乾燥させるための乾燥剤３と、空気室１ｂ内の乾燥空気の圧力が外気の圧力より小さい場合に、空気室１ｂに外気を導入する吸気弁６と、空気室１ｂ内の乾燥空気の圧力が外気の圧力より大きい場合に、空気室１ｂ内の乾燥空気を外部に排出する排気弁５で構成される。
【００１６】
筒状の筐体１は、上部に備えられた水タンク１ａの中の水の重さにより、下方に位置する空気室１ｂ内の乾燥空気を加圧するために設けられ、中央部の空気室１ｂには、加圧された乾燥空気が充填される。空気室１ｂ内には、ばね４と、排水筒１３と、ばね受け１２とが配置され、これらの下方には、空気を乾燥させるためのシリカゲル等の乾燥剤３が充填される。また、筐体１の上方には、給水管１４と、浮き７等が設けられる。
【００１７】
密閉フタ２は、筐体１の水タンク１ａに蓄えられた水が下部の空気室１ｂに浸入することを防ぐために設けられる。
【００１８】
ばね４は、ばね受け１２を介して密閉フタ２を上方に付勢し、水タンク１ａ内の水の排水時に密閉フタ２を押し上げ、排水管１１と筐体１との間の気密を保つために配置される。
【００１９】
排気弁５は、空気室１ｂへの吸気時に圧縮された空気が筐体１に逆流するのを防止し、吸気弁６は、導波管２１への空気充填時に筐体１内の空気が外部に漏れることを防止する。
【００２０】
給水管１４は、水タンク１ａへの給水を導き、給水栓１５は、吸水孔１４ａを塞ぐため、給水管１４からの吸水を停止させる。浮き７が、水タンク１ａ内の水の水位を一定に保つために配置される。栓９は、導波管２１への空気充填時に、排水を防ぐために備えられる。
【００２１】
排水受け８は、排水を検出するために備えられ、水受け部１６と、水受け部１６との重量バランスを採るための錘１７より構成される。
【００２２】
ワイヤ１０は、筐体１の周面に沿って延設され、排水受け８の水受け部１６と栓９とを接続し、後述するトリガー手段として機能する。
【００２３】
排水管１１は、水タンク１ａ内の水を排水させるために備えられる。排水筒１３は、ばね受け１２を収容し、ばね４及び排水管１１が傾斜するのを防止する。
【００２４】
また、図３に示した従来の乾燥空気充填装置と同様、室内の導波管２１の送信機２２の出力側にアンテナ給電器２６を含む屋外の導波管２１を一つの密閉体にするための仕切板２３が装着され、ガスインレット２５を介して屋外の導波管２１内に加圧された乾燥空気が充填される。ガスインレット２４より一部の空気を取り出すことにより、加圧状態が圧力メーター２７によって監視される。
【００２５】
次に、上記構成を有する乾燥空気充填装置の動作について説明する。
【００２６】
まず、図１を参照しながら導波管２１への乾燥空気充填時の乾燥空気充填装置の動作について説明する。
【００２７】
屋外の導波管２１内の空気が漏れると、空気室１ｂ内の気圧が下がるため、水タンク１ａが下方に移動し、これによって水タンク１ａ内の水位が低下し、浮き７の位置が低下するが、給水管１４より水タンク１ａに水が供給され、水位が戻ると給水は停止される。このように、水タンク１ａの水位が一定になるように制御される。
【００２８】
上述のように、水タンク１ａの下には、密閉フタ２で仕切られた空気室１ｂが存在し、空気室１ｂ内の空気は、水タンク１ａの重さにより加圧されている。また、この空気室１ｂの空気は、シリカゲル３により除湿されている。
【００２９】
これによって、空気室１ｂ内の加圧された乾燥空気は、排気弁５を介して導波管２１に充填される。尚、この導波管２１への空気充填時には、筐体１内の気圧は外気より高いため、吸気弁６は閉じた状態となり、外気の侵入を防ぐことができる。
【００３０】
次に、図２を参照しながら吸気時の乾燥空気充填装置の動作について説明する。
【００３１】
上記乾燥空気充填の状態が継続されると、徐々に水タンク１ａが降下し、ワイヤ１０の長さによる制約から、栓９と水タンク１ａの排水口１ｃとの間に隙間ができ、これがトリガーとなって水タンク１ａ内の水が排水される。水タンク１ａからの排水により、排水受け８は支点８ａを中心に回転し、水受け部１６がさらに押し下げられるため、栓９は、さらに高い位置に移動し、排水が継続される。水量の低下に伴い、水タンク１ａは、ばね４により押し上げられる。その結果、空気室１ｂ内の気圧が下がるため、吸気弁６を通して外気が吸入される。一方、屋外の導波管２１への空気は、排気弁５により遮断される。
【００３２】
ばね４によって、水タンク１ａが上昇し、栓９が排水口１ｃに密着すると、排水受け８への水の落下が停止し、再び、導波管２１への空気の充填が開始される。
【００３３】
【発明の効果】
以上説明したように、本発明によれば、電力を必要とせず、安定して加圧された乾燥空気をアンテナ給電部等に充填することのできる装置を提供することができる。
【図面の簡単な説明】
【図１】本発明にかかる乾燥空気充填装置の一実施の形態の空気充填時の状態を示す図であって、（ａ）は上面図、（ｂ）は正面断面図、（ｃ）は底面図である。
【図２】本発明にかかる乾燥空気充填装置の一実施の形態の空気充填時の状態を示す図であって、（ａ）は上面図、（ｂ）は正面断面図、（ｃ）は底面図である。
【図３】従来の乾燥空気充填装置の一例を示す全体構成図である。
【符号の説明】
１            筐体
１ａ        水タンク
１ｂ        空気室
１ｃ        排水口
２            密閉フタ
３            乾燥剤
４            ばね
５            排気弁
６            吸気弁
７            浮き
８            排水受け
８ａ        支点
９            栓
１０        ワイヤ
１１        排水管
１２        ばね受け
１３        排水筒
１４        給水管
１４ａ    吸水孔
１５        給水栓
１６        水受け部
１７        錘
２１        導波管
２２        送信機
２３        仕切板
２４        ガスインレット
２５        ガスインレット
２６        アンテナ給電器
２７        圧力メーター
【図１】
2004187128.tif 000003
【図２】
2004187128.tif 000004
【図３】
2004187128.tif 000005